(57)【特許請求の範囲】
【請求項１】
ランプのためのマウントアセンブリにおいて、
中空の中間部によって分離された２つの端部を有する光源が設けられており、
前記端部のうちの一方を包囲した金属ストラップが設けられており、該金属ストラップが、向き合って配置された第１及び第２の固定領域を有しており、
外径Ｄを備えた管状の第１の部分を有するガラスステムが設けられており、
前記管状の第１の部分に取り付けられた実質的にＣ字形のクリップが設けられており、該Ｃ字形のクリップが、与えられた高さＨと、前記外径Ｄよりも小さな内径Ｄ１とを有しており、これにより、前記クリップが前記管状の第１の部分に摩擦係合するようになっており、
前記実質的にＣ字形のクリップに固定された近位終端を有する第１のフレーム部材と、前記第１のフレーム部材と向き合って前記実質的にＣ字形のクリップに固定された近位終端を有する第２のフレーム部材とが設けられており、前記第１のフレーム部材が、前記金属ストラップにおける前記固定領域のうちの一方に固定された遠位終端を有しており、前記第２のフレーム部材が、前記固定領域のうちの他方に固定された遠位終端を有しており、前記第１及び第２のフレーム部材と、前記金属ストラップとが、前記光源のための唯一の支持を構成しており、
前記実質的にＣ字形のクリップに、実質的に向き合った１対の切欠きが形成されており、それぞれの切欠きが、前記実質的にＣ字形のクリップから突出した、延長したフラップを提供しており、前記第１のフレーム部材の近位終端が前記フラップのうちの一方に取り付けられており、前記第２のフレーム部材の近位終端が前記フラップのうちの他方に固定されており、
前記ガラスステムが、ピンチシールとして形成された第２の部分を有しており、該第２の部分に１対の電気導入線がシールされており、
前記光源が、向き合った端部に電極を有しており、前記電気導入線が前記電極に作用的に接続されており、
前記光源の前記２つの端部が実質的に平行六面体であり、
前記端部のうちの少なくとも一方に、前記金属ストラップの向きを決定するための整合セグメントが設けられていることを特徴とする、ランプのためのマウントアセンブリ。
【請求項２】
前記整合セグメントが、離間されたビードを含む、請求項１記載のマウントアセンブリ。
【請求項３】
ランプのためのマウントアセンブリにおいて、
中空の中間部によって分離された２つの端部を有する光源が設けられており、
前記端部のうちの一方を包囲した金属ストラップが設けられており、該金属ストラップが、向き合って配置された第１及び第２の固定領域を有しており、
外径Ｄを備えた管状の第１の部分と、Ｄよりも大きな少なくとも１つの寸法を有するピンチシールとして形成された第２の部分とを有するガラスステムが設けられており、
前記管状の第１の部分に取り付けられた実質的にＣ字形のクリップが設けられており、該Ｃ字形のクリップが、与えられた高さＨと、前記外径Ｄよりも小さな内径Ｄ１とを有しており、これにより、前記クリップが前記第１の部分に摩擦係合するようになっており、
前記実質的にＣ字形のクリップに形成された実質的に向き合った１対の切欠きが設けられており、それぞれの切欠きが、前記実質的にＣ字形のクリップから突出した、延長したフラップを提供しており、
前記フラップのうちの第１のフラップに固定された近位終端を有する第１のフレーム部材と、前記フラップのうちの第２のフラップに固定された近位終端を有する第２のフレーム部材とが設けられており、前記第１のフレーム部材が、前記金属ストラップにおける前記固定領域のうちの一方に固定された遠位終端を有しており、前記第２のフレーム部材が、前記固定領域のうちの他方に固定された遠位終端を有しており、前記第１及び第２のフレーム部材と、前記金属ストラップとが、前記光源のための唯一の支持を構成しており、
前記ガラスステムが、ピンチシールとして形成された第２の部分を有しており、該第２の部分に１対の電気導入線がシールされており、
前記光源が、向き合った端部に電極を有しており、前記電気導入線が前記電極に作用的に接続されており、
前記光源の前記２つの端部が実質的に平行六面体であり、
前記端部のうちの少なくとも一方に、前記金属ストラップの向きを決定するための整合セグメントが設けられていることを特徴とする、ランプのためのマウントアセンブリ。
【発明の詳細な説明】
【技術分野】
【０００１】
関連する出願とのクロスリファレンス
本出願は、２００３年１２月２２日に出願された仮出願第０６／１５３６４２号の優先権を請求する
本発明は、ランプ、特に光源カプセルを外管内に取り付けるための構造体に関する。更に具体的には、本発明は、経済的に製造することができ、自動化に適し、低ワット数ランプに容易に取り付けられるマウントアセンブリに関する。
【背景技術】
【０００２】
アーク放電ランプのためのマウントアセンブリは、フレームに取り付けられた放電管を使用する。フレームは概してクリップによってフレアに取り付けられており、ランプ外管の反対側の端部まで長手方向に延びており、この端部においてフレームは、外管壁部を把持するスナッバ、又は壁部エンベロープに形成された凹所に係合するリングによって所定の位置に保持される。フレア自体は、排気管（exhaust tubulation）を支持することができる管状本体を有しており、導入線をピンチシールでシールする。前のアセンブリは、ステムに圧着された帯材及びフレームアセンブリを使用した。しばしば、これらのアセンブリは、運搬中に時折損傷を受ける購入される部品である。さらに、アセンブリをステムに取り付けるために必要な圧着及びストラッピング作業は、合理的に自動化可能ではなかった。このようなアセンブリは高価であり、大量の手作業を完了することを必要とする。繰返しの手作業は許容できない人間工学的問題をも有していた。
【０００３】
これらの問題のうちの幾つかは、ばね鋼から形成された実質的にＣ字形のクリップを提供することによって解決された。クリップは与えられた高さＨ及び内径Ｄを有していた。１対の実質的に向き合った切欠きは、それぞれ延長したフラップを提供し、クリップから突出していた。
【０００４】
付加的に、“Ｕ”字形フレーム部材を含むランプのためのマウントアセンブリが提供され、前記Ｕ字形フレーム部材は、フレアからランプ外管の反対側の端部まで取付けアセンブリの長さに亘って延びていた。フレームは、フラップのうちの一方に取り付けられた第１の脚と、フラップのうちの他方に取り付けられた第２の脚とを有していた。フレームの端部、Ｕの“湾曲部（bight）”は、ランプの反対側の端部に取り付けられていた。この構造は、うまく働くが、多数の直径を有する特別なランプ外管を必要とした。この構造は、本発明の譲受人に譲渡された２００２年５月２４日に出願された係属中の米国特許出願連続番号１０／１５５５４１号に示されている。
【発明の開示】
【発明が解決しようとする課題】
【０００５】
従って本発明の課題は従来技術の欠点を排除することである。
【０００６】
本発明の別の課題はランプのためのマウント構造を改良することである。
【０００７】
本発明の更に別の課題はランプの製造において使用される異なる外管の数を減じることである。
【発明を実施するための最良の形態】
【０００８】
本発明のその他の課題、利点及び能力と共に本発明をさらに理解するために、図面に関連した以下の開示及び添付の請求項が参照される。
【０００９】
今や図面を更に具体的に参照すると、図１には、中空の中間部１８によって分離された２つの端部１４，１６を有する光源１２を有するランプのためのマウントアセンブリ１０が示されている。光源カプセル１２はアーク放電管であることができ、端部１４，１６は実質的に平行六面体である。端部１４，１６には、離間されたビード６２，６４の形式の整合セグメント６０も設けられている。
【００１０】
金属ストラップ２０は、一方の端部、例えば１４を包囲しており、ビード６２，６４の間に配置されており、向き合って配置された第１及び第２の固定領域２２，２４を有しており、；固定領域は延長部２２ａ，２４ａの形式であることができる。ガラスステム２６は、外径Ｄを有する管状の第１の部分２８を有している。図２に別個に示された実質的にＣ字形のクリップ３０は、管状の第１の部分２８に取り付けられている。Ｃ字形クリップ３０は、与えられた高さＨと、外径Ｄよりも小さな内径Ｄ１とを有しており、これにより、クリップが管状の第１の部分に摩擦係合する。第１のフレーム部材３２は、実質的にＣ字形のクリップ３０に固定された近位終端３４を有しており、第２のフレーム部材３５は、第１のフレーム部材３２と向き合って実質的にＣ字形のクリップ３０に固定された近位終端３６を有している。第１のフレーム部材３２は、金属ストラップ２０における固定領域のうちの一方、例えば領域２２に固定された遠位終端３８を有しており、第２のフレーム部材３５は、固定領域のうちの他方、例えば２４に固定された遠位終端４０を有している。第１及び第２のフレーム部材３２，３５と、金属ストラップ２０とは、光源１２のための唯一の支持を構成している。
【００１１】
本発明の有利な実施形態において、Ｃ字形クリップ３０は、向き合った切欠き４２，４４を有しており、延長したフラップ４６，４８を提供し、これらのフラップに近位終端３２，３５が取り付けられている。
【００１２】
一般的に、ガラスステム２６は、ピンチシールとして形成された、電気導入線５２，５４を含む第２の部分５０を有している。これらの導入線は、光源１２の向き合った端部に配置された電極５６，５８に作用接続されている。
【００１３】
ランプの動作中に形成される望ましくないガスを除去するためにゲッタ７０が金属ストラップ２０に取り付けられている。ゲッタのこの位置は、ランプが口金を上にして作動されるか又は下にして作動されるかに拘わらず所望のガス除去作用を提供する。ゲッタの温度は、口金を上にした使用中には約１００℃高くなるが、この温度は依然として３３５〜４５０℃の所望の動作範囲内である。
【００１４】
したがって、頑丈で、組立が容易で、特別なランプ外管の必要性を排除するランプマウントアセンブリが提供される。
【００１５】
現時点で発明の有利な実施形態であると考えられるものが示されかつ説明されたが、添付の請求項によって定義されているような発明の範囲から逸脱することなく実施形態において様々な変更及び修正が加えられることができることが当業者に明らかであろう。
【図面の簡単な説明】
【００１６】
【図１】本発明の態様を利用するランプマウントの斜視図である。
【００１７】
【図２】本発明と共に使用されるクリップの斜視図である。
【符号の説明】
【００１８】
１０  マウントアセンブリ、  １２  光源、  １４，１６  端部、  １８  中間部、  ２０  金属ストラップ、  ２２，２４  固定領域、  ２２ａ，２４ａ  延長部、  ６０  整合セグメント、  ２６  ガラスステム、  ２８  第１の部分、  ３０  クリップ、  ３２  第１のフレーム部材、  ３４  近位終端、  ３５  第２のフレーム部材、  ３６  近位終端、  ３８  遠位終端、  ４０  遠位終端、  ４２，４４  切欠き、  ４６，４８  フラップ、  ５０  第２の部分、  ５２，５４  電気導入線、  ５６，５８  電極、  ６０  整合セグメント、  ６２，６４  ビード、  ７０  ゲッタ
【図１】
0004636868.tif 000002
【図２】
0004636868.tif 000003